(57)【要約】【課題】伝送装置の送受信において外乱の影響を抑制する機能を向上させる。【解決手段】伝送装置の受信ユニットは、信号受信にともなって受信感度が漸次減少するように構成されている。送信ユニットは、受信ユニットに対して第１伝送信号Ｆ１を送信する前に、伝送データを含まない第１ダミー信号Ｄ１を送信するように構成されている。また、送信ユニットは、第１伝送信号Ｆ１よりも送信時間が短い第２伝送信号Ｆ２を送信する前に、伝送データを含まない第２ダミー信号Ｄ２を送信するように構成されている。そして、第２ダミー信号Ｄ２が第１ダミー信号Ｄ１よりも送信時間が長くなるように調整されている。【選択図】図６
2014121023.tif 000002
【特許請求の範囲】
【請求項１】
信号受信にともなって受信感度が漸次減少するように構成されている受信ユニット（３０）と、
前記受信ユニットに伝送データを送信するとき、伝送データを含む第１伝送信号を送信する前に伝送データを含まない第１ダミー信号を送信し、伝送データを含みかつ前記第１伝送信号よりも送信時間が短い第２伝送信号を送信する前に伝送データを含まない第２ダミー信号を送信するように構成され、前記第２ダミー信号の送信時間が前記第１ダミー信号の送信時間よりも長くなるように調整されている送信ユニット（３０）と、
を備える、伝送装置。
【請求項２】
前記送信ユニットは、前記第２ダミー信号の送信開始から前記第２伝送信号の送信終了までの時間が所定時間範囲に収まるように調整されている、
請求項１に記載の伝送装置。
【請求項３】
前記送信ユニットは、前記第１ダミー信号の送信開始から前記第１伝送信号の送信終了までの時間が前記所定時間範囲に収まるように前記第１ダミー信号の送信時間が調整されている、
請求項１又は請求項２に記載の伝送装置。
【請求項４】
前記送信ユニットは、前記第１伝送信号が前記第１ダミー信号の送信開始後に第１所定時間が経過してから第２所定時間が経過するまでの間に送信されるように構成されている、
請求項１から３のいずれか一項に記載の伝送装置。
【請求項５】
前記送信ユニット及び前記受信ユニットは、赤外線を用いて送受信を行う、
請求項１から４のいずれか一項に記載の伝送装置。
【請求項６】
信号受信にともなって受信感度が漸次減少するように構成されている受信ユニットに伝送データを送信する送信ユニットであって、
伝送データを含む第１伝送信号を送信する前に伝送データを含まない第１ダミー信号を送信し、伝送データを含みかつ前記第１伝送信号よりも送信時間が短い第２伝送信号を送信する前に伝送データを含まない第２ダミー信号を送信するように構成され、前記第２ダミー信号の送信時間が前記第１ダミー信号の送信時間よりも長くなるように調整されている、送信ユニット。
【発明の詳細な説明】
【技術分野】
【０００１】
本発明は、データを伝送する伝送装置及び当該伝送装置に用いられる送信ユニットに関する。
【背景技術】
【０００２】
空気調和装置などの機器には、遠隔操作する際にリモートコントローラから機器本体にデータを伝送させるために、赤外線などを用いた信号の送受信が行なわれるものがある。例えば、このような空気調和装置においては、赤外線信号の送受信を行なうために、機器本体には赤外線信号を受信する受信ユニットが設置され、リモートコントローラには赤外線信号を送信する送信ユニットが設置されて、これら受信ユニットと送信ユニットによって伝送装置が構成されている。
【０００３】
このような伝送装置には、受信ユニットが外部からノイズを受けることによって赤外線信号を正常に受信できなくなる外乱を抑制するために、赤外線信号を受信していない状態では、増幅利得（ゲイン）を自動的に大きくし、赤外線信号を受信した状態では、ゲインを自動的に減少させるオートゲインコントロール機能が設けられることがある。
【０００４】
例えば、特許文献１（特開平５−２２７５８０号公報）に記載されているオートゲインコントロール機能を有する送受信装置では、受信ユニットに制御データを送信する際に受信感度を調整するため、データを含まないダミー信号を送信する伝送方式が採られている。
【発明の概要】
【発明が解決しようとする課題】
【０００５】
ところで、特許文献１に記載されているようにダミー信号を用いて外乱の影響を抑制する機能を高める場合、ダミー信号によって十分に受信感度が低下してから制御データを含む送信信号を受信させることが好ましい。しかし、受信ユニットの受信感度は送信信号の受信中にも漸次低下するため、ダミー信号に続いて送信信号を受信することによって受信感度が低下しすぎると、かえって制御データを正常に受信できなくなるという問題が生じる。
【０００６】
本発明の課題は、伝送装置の送受信において外乱の影響を抑制する機能を向上させることである。
【課題を解決するための手段】
【０００７】
本発明の第１観点に係る伝送装置は、信号受信にともなって受信感度が漸次減少するように構成されている受信ユニットと、受信ユニットに伝送データを送信するとき、伝送データを含む第１伝送信号を送信する前に伝送データを含まない第１ダミー信号を送信し、伝送データを含みかつ第１伝送信号よりも送信時間が短い第２伝送信号を送信する前に伝送データを含まない第２ダミー信号を送信するように構成され、第２ダミー信号の送信時間が第１ダミー信号の送信時間よりも長くなるように調整されている送信ユニットと、を備えるものである。
【０００８】
第１観点の伝送装置においては、伝送時間の比較的短い第２伝送信号に対しては伝送時間の比較的長い第２ダミー信号を送信することで、第２伝送信号の受信開始時点で十分に受信ユニットの受信感度を減少させることができ、第２伝送信号に対する外乱の影響を抑制する機能を向上させることができる。
【０００９】
本発明の第２観点に係る伝送装置は、第１観点に係る伝送装置において、送信ユニットが、第２ダミー信号の送信開始から第２伝送信号の送信終了までの時間が所定時間範囲に収まるように調整されている、ものである。
【００１０】
第２観点の伝送装置においては、第２ダミー信号の送信開始から第２伝送信号の送信終了までの時間が所定時間範囲に収まるように調整されているので、第２伝送信号の送信終了時点における受信感度の下がりすぎを防止することができる。
【００１１】
本発明の第３観点に係る伝送装置は、第１観点又は第２観点に係る伝送装置において、送信ユニットは、第１ダミー信号の送信開始から第１伝送信号の送信終了までの時間が所定時間範囲に収まるように第１ダミー信号の送信時間が調整されている、ものである。
【００１２】
第３観点の伝送装置においては、第１ダミー信号の送信開始から第１伝送信号の送信終了までの時間が所定時間範囲に収まるように調整されているので、第１伝送信号の送信終了時点における受信ユニットの受信感度の下がりすぎを防止することができる。
【００１３】
本発明の第４観点に係る伝送装置は、第１観点から第３観点のいずれかに係る伝送装置において、送信ユニットは、第１伝送信号が第１ダミー信号の送信開始後に第１所定時間が経過してから第２所定時間が経過するまでの間に送信されるように構成されている、ものである。
【００１４】
第４観点の伝送装置においては、比較的長い第１伝送信号の受信開始から受信終了までの間の受信ユニットの受信感度を所定範囲に収めることができ、第１伝送信号の全体にわたって外乱の影響を受けにくくすることができる。
【００１５】
本発明の第５観点に係る伝送装置は、第１観点から第４観点のいずれかに係る伝送装置において、送信ユニット及び受信ユニットは、赤外線を用いて送受信を行う、ものである。
【００１６】
第５観点の伝送装置においては、受信ユニットが、その周囲の発光体及び反射体から受信ユニットに入射する光の影響を受けにくくなる。
【００１７】
本発明の第６観点に係る送信ユニットは、信号受信にともなって受信感度が漸次減少するように構成されている受信ユニットに伝送データを送信する送信ユニットであって、伝送データを含む第１伝送信号を送信する前に伝送データを含まない第１ダミー信号を送信し、伝送データを含みかつ第１伝送信号よりも送信時間が短い第２伝送信号を送信する前に伝送データを含まない第２ダミー信号を送信するように構成され、第２ダミー信号の送信時間が第１ダミー信号の送信時間よりも長くなるように調整されているものである。
【００１８】
第６観点の送信ユニットにおいては、伝送時間の比較的短い第２伝送信号に対しては伝送時間の比較的長い第２ダミー信号を送信することで、第２伝送信号に対する外乱の影響を抑制する機能を向上させることができる。
【発明の効果】
【００１９】
本発明の第１観点に係る伝送装置又は第６観点に係る送信ユニットでは、信号受信にともなって受信感度が漸次減少するように構成されている受信ユニットを備える従来の伝送装置に比べて、送受信において外乱の影響を抑制する機能が向上する。
【００２０】
第２観点の伝送装置では、第２伝送信号の送信終了時点での受信感度を適切に調節することができ、外乱による影響を抑制する効果を向上させることができる。
【００２１】
第３観点の伝送装置では、第１伝送信号の送信終了時点での受信感度を適切に調節することができ、第１伝送信号について外乱による影響の抑制を実現することができる。
【００２２】
第４観点の伝送装置では、比較的長い第１伝送信号に対する外乱の影響を抑える効果を第１伝送信号の全体にわたって発揮させることができる。
【００２３】
第５観点の伝送装置では、送信ユニット以外からの入射光の影響を抑えて、伝送装置の誤動作の発生を抑制することができる。
【図面の簡単な説明】
【００２４】
【図１】リモートコントローラによる空調室内機の操作を示す概念図。
【図２】空調室内機とリモートコントローラの構成を説明するためのブロック図。
【図３】（ａ）受信ユニットの感度の一例を示すグラフ、（ｂ）受信信号の一例を示すタイミングチャート。
【図４】（ａ）伝送信号の構成を説明するためのタイミングチャート、（ｂ）「０」を表す信号を説明するためのタイミングチャート、（ｃ）「１」を表す信号を説明するためのタイミングチャート。
【図５】伝送装置における送受信の動作を説明するためのフローチャート。
【図６】（ａ）受信ユニットの感度の一例を示すグラフ、（ｂ）短いダミー信号を含む送信信号の一例を示すタイミングチャート、（ｃ）長いダミー信号を含む送信信号の一例を示すタイミングチャート、（ｄ）短すぎるダミー信号を含む送信信号の一例を示すタイミングチャート、（ｅ）長すぎるダミー信号を含む送信信号の一例を示すタイミングチャート。
【発明を実施するための形態】
【００２５】
（１）全体構成
図１には、本発明の一実施形態に係る伝送装置が適用されている空気調和機１０の空調室内機２０とリモートコントローラ４０とが示されている。空調室内機２０には、受信ユニット３０が設けられ、リモートコントローラ４０には送信ユニット５０が設けられている。これら受信ユニット３０と送信ユニット５０が伝送装置１１を構成している。
【００２６】
空調室内機２０は、リモートコントローラ４０から送信される送信信号によって種々の設定ができるように構成されている。例えば、空調室内機２０は、風向調節羽根２１を備え、室内に吹出す調和空気の風向の調節を風向調節羽根２１の角度を変更することによって行なっている。この風向調節羽根２１の角度を所定角度に設定したり、角度を連続的に変化させるように設定したりすることを命令するために種々のデータが準備されている。そして、このようなデータをリモートコントローラ４０の送信信号に含めることにより、リモートコントローラ４０を使用して風向調節羽根２１の設定を行えるように構成されている。
【００２７】
（２）詳細構成
（２−１）空調室内機
上述したリモートコントローラ４０の伝送信号によって空調室内機２０の設定を行う構成を中心に、空調室内機２０の構成について図２を用いて説明する。図１を用いて説明したように、空調室内機２０には受信ユニット３０が備え付けられ、受信ユニット３０は、赤外線で送信される送信信号を受信するための赤外線受光部３１を有している。赤外線受光部３１は例えばフォトトランジスタなどで構成される。受信ユニット３０で受信されたデータに基づいた動作を行なうため、データを読み取るマイクロプロセッシングユニット（以下ＭＰＵという）２２を空調室内機２０は内蔵している。ＭＰＵ２２は、同じく空調室内機２０に内蔵されているメモリ２３に接続されている。メモリ２３には、ＭＰＵ２２がデータを読むために必要な情報が記憶されている。また、データによって命令された設定を行なうための情報もメモリ２３に記憶されている。ＭＰＵ２２には、前述の風向調節羽根２１を動作させるモータなどのアクチュエータ２４が接続されている。また、アクチュエータ２４などの空調室内機２０各部の制御を行なう制御回路２５がＭＰＵ２２に接続されている。アクチュエータ２４は、例えば風向調節羽根２１のモータや空調室内機２０に内蔵されている圧縮機のモータなどの複数のアクチュエータを含んでいる。また、制御回路２５は、複数のアクチュエータや空調室内機２０の表示装置などを制御するための複数の制御回路を含んでいる。そして、ＭＰＵ２２、アクチュエータ２４及び制御回路２５においては、相互に或いは一方から他方に内部信号の送受信が行なわれる。
【００２８】
（２−１−１）受信ユニットの受信感度
受信ユニット３０の受信感度が図３（ａ）に示されている。図３（ａ）に示されている受信感度は、図３（ｂ）に示されている受信信号を赤外線受光部３１で受信したときの受信感度である。受信信号は、時刻ｔ１に赤外線受光部３１で受信され始める。この受信開始の時刻ｔ１から受信ユニット３０の受信感度が最大感度ＳＭから低下し始める。そして、受信信号を受信している間は、受信ユニット３０の受信感度は漸次低減している。つまり、受信ユニット３０の受信感度は、ある時間の感度とそれよりも後の時間の感度とを比較すると同じかもしくは減少しており、受信信号の受信にともなって減少する傾向があるということである。なお、図３（ｂ）に示されている受信信号については赤外線が赤外線受光部３１に当たっている状態と当たっていない状態とを繰り返しているため、短時間での受信感度の変化はなだらかではないが、図３（ａ）においては受信感度の細かな変化の記載を省いて受信感度の変化の傾向を示している。
【００２９】
受信感度が高すぎるとノイズを拾いやすいことから、時刻ｔ２のときの受信感度Ｓ２が、比較的ノイズを拾い難くかつ正常にデータを取り込める適切な受信感度の上限として設定されている。逆に受信感度が低すぎると受信信号を正常に取り込み難くなることから、時刻ｔ３のときの受信感度Ｓ１が、比較的ノイズを拾い難くかつ正常にデータを取り込める適切な受信感度の下限として設定されている。受信ユニット３０及び送信ユニット５０の仕様及び個体のバラツキ、製品での受信ユニット３０の配置により、適切な受信感度の範囲（Ｓ１からＳ２）及び受信信号による受信感度の変化に差が生じるため、例えば、伝送装置１１の仕様が想定される外乱環境下での実験にて、データを正常に取り込める時間（ｔ２からｔ３）を決めることができる。
【００３０】
（２−２）リモートコントローラ
図２に示されているように、リモートコントローラ４０には、送信する命令を選択するための操作部４１が設けられている。操作部４１は、例えば多数のボタン４１ａを含む操作パネルや表示装置と一体化されたタッチパネルなどで構成される。操作部４１には、ＭＰＵ４２が接続されている。また、ＭＰＵ４２には、メモリ４３が接続されている。操作部４１で選択された命令に対応するデータの生成がＭＰＵ４２で行なわれる。メモリ４３には、操作部４１で選択可能な命令と、それらに対応する種々のデータに関する情報が記憶されている。また、メモリ４３には、種々のデータを送信するための送信信号を生成するために必要な情報が記憶されている。
【００３１】
送信ユニット５０は、ＭＰＵ４２に接続されており、ＭＰＵ４２から受ける内部信号に応じて送信信号を赤外線で送信する。そのために、送信ユニット５０は、赤外線を発する発光ダイオード（以下ＬＥＤという）５１を有している。ＭＰＵ４２は、種々のデータに応じた送信信号の種々の信号パターンをメモリ４３に記憶されている情報に基づいて生成することができる。ＭＰＵ４２は、生成した信号パターンによって示されるデータを送信するように指示するため、送信ユニット５０に内部信号を送信する。
【００３２】
（２−２−１）送信信号のフォーマット
次に、リモートコントローラ４０から送信される送信信号のフォーマットについて説明する。リモートコントローラ４０から送信される送信信号は、例えば、図４（ａ）に示されているように、リーダーコードと、カスタムコードと、データコードと、ストップビット（トレーラーコード）とを含んでいる。リーダーコードは、例えば、比較的長くＬＥＤ５１がオンし、そのオンしている時間の半分だけＬＥＤ５１がオフする設定になっている。カスタムコードとデータコードとストップビットは、一般に、「０」と「１」の２進数で伝達され、例えばカスタムコードが３２ビットであり、データコードが１６ビットであり、ストップビットが１ビットである。ここでは、リーダーコードとカスタムコードとデータコードとストップビットとからなる１組の伝送信号を１フレームと数える。ここでいう送信信号は、この伝送信号と、伝送信号の前に付加されるダミー信号とから構成されている。
【００３３】
図４（ｂ）には、「０」を表す送信信号が示されている。「０」を表す送信信号は、例えばＬＥＤ５１がオンしている時間が１Ｔであり、オフしている時間が１Ｔであり、オンしている時間とオフしている時間が同じになるように設定されている。ここで、「Ｔ」は予め設定されている一定時間を表している。
【００３４】
図４（ｃ）には、「１」を表す信号が示されている。「１」を表す信号は、例えばＬＥＤ５１がオンしている時間が１Ｔであり、オフしている時間が２Ｔであり、オフしている時間がオンしている時間の２倍になるように設定されている。
【００３５】
１フレームの信号の送信時間は、次の２つの理由から種々に変化する。一つ目の理由は、１つの送信信号には１つのカスタムコードしか含まれないが、カスタムコードとストップコードの間に挟まれるデータコードのデータ数が異なる場合があるからである。例えば、１フレームに含まれるデータ数が１つであればデータコードの長さが１６ビットであるが、１フレームに含まれるデータ数が２つであればデータコードの長さが３２ビットになる。以下、このようにデータ数を変えることができるフレームを可変長フレームという。
【００３６】
一方、１フレームのデータ数が決まっている送信信号の場合には、通常はカスタムコードのビット数は固定されているので、１フレームのビット数は送信信号のデータの種類に係わらず一定になる。以下、このようなデータ数が一定のフレームを固定長フレームという。固定長フレームの場合でも、「１」を表す信号と「０」を表す信号の送信時間が異なることから、データの値が異なると１フレームの送信信号の送信時間が異なる場合が出てくる。同様の理由から、データ数が同じ可変長フレーム同士でも１フレームの送信時間が異なるものになる場合がある。
【００３７】
送信信号の１フレームの送信時間が異なるため、１フレームの信号の送信時間に合った長さのダミー信号が送信されるように、ＭＰＵ４２が送信ユニット５０に指示する構成になっている。受信ユニット３０と送信ユニット５０との間で行なわれる送受信について、１フレームの送信時間が異なることに対応して、互いに長さの異なる２つのダミー信号が準備されている場合を次に説明する。
【００３８】
（３）送信ユニットからの送信
図５には、リモートコントローラ４０から送信される送信信号を生成するフローが示されている。図６（ａ）には、図４（ａ）に示されているものと同じタイミングチャートが示されている。即ち、図６（ａ）に示されている受信感度の変化は、図４（ｂ）に示されている受信信号に対応しているため、図６（ｂ）乃至図６（ｅ）に示されている送信信号を受けた場合とは異なる。しかし、図６（ｂ）乃至図６（ｅ）に示されている送信信号を受けた場合の送信信号の送信終了時点までの受信感度の変化が図６（ａ）に示されている変化と似たようなものになるため、図６（ｂ）乃至図６（ｅ）に示されている送信信号を受けた場合の受信感度の変化を説明するために図６（ａ）を参照している。
【００３９】
リモートコントローラ４０からは、図６（ｂ）に示されている送信信号又は図６（ｃ）に示されている送信信号が図５に示されているフローに従って送信される。以下の説明において、リモートコントローラ４０から空調室内機２０に送信される、空調室内機２０の設定を行なう命令を制御命令という。
【００４０】
まず、リモートコントローラ４０のＭＰＵ４２は、操作部４１を用いて制御命令が入力されるのを待っている（ステップＳＴ１）。操作部４１から制御命令が入力されなければ、制御命令が入力されるまでステップＳＴ１の動作を繰り返す。制御命令が入力されれば、ステップＳＴ１からステップＳＴ２に進む。ＭＰＵ４２は、制御命令に対応するデータをメモリ４３から取得する。このとき同時に、ＭＰＵ４２は、取得したデータを送信する際の１フレームの送信時間をメモリ４３から取得する（ステップＳＴ２）。ＭＰＵ４２は、取得した１フレームの送信時間が予め設定されている閾値よりも大きいか否かを判断する（ステップＳＴ３）。
【００４１】
１フレームの送信時間が閾値と同じか又は閾値よりも小さいときにＭＰＵ４２は、ステップＳＴ４に進み、送信時間の長いダミー信号Ｄ２を選択する。一方、伝送信号の送信時間が閾値よりも大きいときにＭＰＵ４２は、ステップＳＴ５に進み、送信時間の短いダミー信号Ｄ１を選択する。
【００４２】
次に、送信ユニット５０は、選択された短いダミー信号Ｄ１か又は長いダミー信号Ｄ２を用いて、送信信号を送信するためのＬＥＤ５１の発光信号を生成する（ステップＳＴ６）。そのために、ＭＰＵ４２は、ダミー信号Ｄ１，Ｄ２の種別と送信信号に含めるデータとを内部信号によって送信ユニット５０に送信する。
【００４３】
ステップＳＴ６において、受信ユニット３０と送信ユニット５０との間で赤外線による通信が行なわれる。この赤外線による通信において、送信時間の短いダミー信号Ｄ１が選択されたときには、図６（ｂ）に示されているように、時刻ｔ１にダミー信号Ｄ１の送信が開始されると時刻ｔ２の前の時刻ｔ４の時点でダミー信号Ｄ１の送信が終了する。ダミー信号Ｄ１の送信終了時点から所定時間が経過した後の時刻ｔ５（ｔ２）に、伝送信号Ｆ１の送信が開始される。時刻ｔ５に伝送信号Ｆ１の送信が開始されるということは、例えば、時刻ｔ５に伝送信号Ｆ１のリーダーコードの送信が始まるということである。そして、伝送信号Ｆ１の送信は、時刻ｔ３の前の時刻ｔ６で終了する。時刻ｔ６に伝送信号Ｆ１の送信が終了するということは、例えば、時刻ｔ６に伝送信号Ｆ１のストップビットが送信されるということである。
【００４４】
一方、送信時間の長いダミー信号Ｄ２が選択されたときには、図６（ｃ）に示されているように、時刻ｔ１にダミー信号Ｄ２の送信が開始されると時刻ｔ２を過ぎた時刻ｔ７の時点でダミー信号Ｄ２の送信が終了する。ダミー信号Ｄ２の送信終了時点から所定時間が経過した後の時刻ｔ８に、伝送信号Ｆ２の送信が開始される。時刻ｔ８に伝送信号Ｆ２の送信が開始されるということは、例えば、時刻ｔ８に伝送信号Ｆ２のリーダーコードの送信が始まるということである。そして、伝送信号Ｆ２の送信は、時刻ｔ３の前の時刻ｔ９で終了する。時刻ｔ９に伝送信号Ｆ２の送信が終了するということは、例えば、時刻ｔ９に伝送信号Ｆ２のストップビットが送信されるということである。
【００４５】
なお、ダミー信号Ｄ１の送信が終了する時刻ｔ４と伝送信号Ｆ１の送信が開始する時刻ｔ５の間、及びダミー信号Ｄ２の送信が終了する時刻ｔ７と伝送信号Ｆ２の送信が開始する時刻ｔ８の間は、信号の入力が無いことに起因する受信感度の変化が無視できる程度の十分に短い時間に設定される。
【００４６】
また、ダミー信号Ｄ１，Ｄ２は、例えば最初から「１」を表す信号と「０」を表す信号を交互に送信するなど、伝送信号のフォーマットと異なるフォーマットで信号を送信するようすれば生成でき、ダミー信号の送信時間にＬＥＤ５１が適当な時間だけ発光するように構成してあればよい。
【００４７】
また、受信ユニット３０からＭＰＵ２２に送られる内部信号には、ダミー信号Ｄ１，Ｄ２に関する情報が含まれる必要はなく、制御命令に関する情報が含まれている。
【００４８】
（４）特徴
（４−１）
以上説明したように、伝送装置１１の受信ユニット３０は、図３（ａ）に示されているように、信号受信にともなって受信感度が漸次減少するように構成されている。送信ユニット５０は、受信ユニット３０に対して、図６（ｂ）に示されている伝送信号Ｆ１中のデータコードに含まれるデータ（伝送データの一例）を送信するとき、図６（ｂ）に示されている伝送信号Ｆ１（第１伝送信号の一例）を送信する前に、伝送データを含まないダミー信号Ｄ１（第１ダミー信号の一例）を送信するように構成されている。また、送信ユニット５０は、伝送信号Ｆ１よりも送信時間が短い、図６（ｃ）に示されている伝送信号Ｆ２（第２伝送信号の一例）を送信する前に、伝送データを含まないダミー信号Ｄ２（第２ダミー信号の一例）を送信するように構成されている。
【００４９】
このダミー信号Ｄ２の送信時間がダミー信号Ｄ１の送信時間よりも長くなるように調整されている。このように、伝送時間の比較的短い伝送信号Ｆ２に対しては伝送時間の比較的長いダミー信号Ｄ２を送信することで、伝送信号Ｆ２の受信開始時点の時刻ｔ８で受信感度が感度Ｓ２よりも小さくなって、十分に受信感度を減少させることができる。そのため、伝送信号Ｆ２に対する外乱の影響を抑制する機能を向上させることができ、送受信において外乱の影響を抑制する機能が向上する。
【００５０】
（４−２）
図６に示されているように、ダミー信号Ｄ２の送信開始から伝送信号Ｆ２の送信終了までの時間（時刻ｔ１から時刻ｔ９までの時間）が所定時間範囲（時刻ｔ１から時刻ｔ３までの範囲）に収まるように調整されているので、伝送信号Ｆ２の送信終了時点の時刻ｔ９において受信感度が感度Ｓ１よりも高くなり、受信感度の下がりすぎを防止することができる。従って、この所定時間範囲は、受信開始の時刻ｔ１から下限の感度Ｓ１になる時刻ｔ３までの範囲であることが好ましい。その結果、伝送信号Ｆ２の送信終了時点の時刻ｔ９での受信感度を適切に調節することができ、外乱による影響を抑制する効果を向上させることができる。
【００５１】
（４−３）
図６に示されているように、ダミー信号Ｄ１の送信開始から伝送信号Ｆ１の送信終了までの時間（時刻ｔ１から時刻ｔ６までの時間）が所定時間範囲（時刻ｔ１から時刻ｔ３までの範囲）に収まるようにダミー信号Ｄ１の送信時間が調整されているので、伝送信号Ｆ１の送信終了時点の時刻ｔ６における受信感度の下がりすぎを防止することができる。従って、この所定時間範囲は、受信開始の時刻ｔ１から下限の感度Ｓ１になる時刻ｔ３までの範囲であることが好ましい。その結果、伝送信号Ｆ１の送信終了時点の時刻ｔ６での受信感度を適切に調節することができ、伝送信号Ｆ１について外乱による影響の抑制を実現することができる。
【００５２】
（４−４）
図６（ｂ）に示されているように、伝送信号Ｆ１がダミー信号Ｄ１の送信開始後に時刻ｔ１から時刻ｔ２までの時間（第１所定時間の一例）が経過してから時刻ｔ１から時刻ｔ３までの時間（第２所定時間の一例）が経過するまでの間に送信されるように構成されている。その結果、比較的長い伝送信号Ｆ１の受信開始から受信終了までの間の受信感度を所定範囲に収めることができ、伝送信号Ｆ１の全体にわたって外乱の影響を受け難くして、外乱の影響を抑える効果を伝送信号Ｆ１の全体にわたって発揮させることができる。
【００５３】
この点に関しては、伝送信号Ｆ２についても同様に、ダミー信号Ｄ２の送信開始後に時刻ｔ１から時刻ｔ２までの時間（第１所定時間の一例）が経過してから時刻ｔ１から時刻ｔ３までの時間（第２所定時間の一例）が経過するまでの間に送信されるように構成されることが好ましい。
【００５４】
この点について、図６（ｄ）及び図６（ｅ）を用いて説明する。図６（ｄ）に示されているダミー信号Ｄ３は、時刻ｔ４よりもかなり早い時刻ｔ１０に送信が終了されており、短すぎるダミー信号である。このような短すぎるダミー信号Ｄ３を用いると、伝送信号Ｆ２の終了時点の時刻ｔ１２では適切な受信感度を得られるものの、伝送信号Ｆ２の受信開始時点の時刻ｔ１１において、受信感度が感度Ｓ２よりも高くなってしまう。そうなると、ＬＥＤ５１から受ける光よりも照度の低い光を信号として受信ユニット３０が受信する可能性が大きくなる。一方、図６（ｅ）に示されているダミー信号Ｄ４は、終了時点の時刻ｔ１３がダミー信号Ｄ２の終了時点の時刻ｔ７と同じであってダミー信号Ｄ２と同じ長さであるが、送信時間の長い伝送信号Ｆ１に用いられることで長すぎるダミー信号となってしまっている。このような長すぎるダミー信号Ｄ４を用いると、図６（ｅ）に示されているように、伝送信号Ｆ１の送信開始時点の時刻ｔ１４での感度は適切であるものの、伝送信号Ｆ１の送信終了時点の時刻ｔ１５での受信感度が感度Ｓ１よりも低くなってしまう。そうなると、伝送信号Ｆ１のデータコードの受信に失敗する可能性が高くなる。伝送信号の送信開始時点と送信終了時点を時刻ｔ２から時刻ｔ３の間に収めることができる上述の構成によれば、このような不具合を防止することができる。
【００５５】
（４−５）
送信ユニット５０と受信ユニット３０は、ＬＥＤ５１と赤外線受光部３１とを有しており、赤外線を用いて送受信を行う。そのため、受信ユニット３０の周囲の発光体及び反射体から受信ユニット３０に入射する光の影響を受け難くなる。送信ユニット５０以外からの入射光、例えば、空調室内機２０は、設置されている室内の照明及び室内に入射する太陽光などの影響を抑えることができ、伝送装置１１の誤動作の発生を抑制することができる。
【００５６】
（５）変形例
（５−１）変形例１Ａ
上記実施形態では、送信時間の異なる伝送信号Ｆ１，Ｆ２の２種類の伝送信号に合わせて２種類のダミー信号Ｄ１，Ｄ２を用いる場合について説明したが、本発明が適用できるのは２種類のダミー信号を用いる場合に限られるものではない。上述したように、伝送信号の送信時間は、固定長フレームにおいても種々変化する。さらに可変長フレームであればさらに大きく送信時間が変化する。従って、固定長フレーム或いは可変長フレームのいずれであっても、閾値を複数設けてダミー信号を３種類以上用いることができる。
【００５７】
（５−２）変形例１Ｂ
上記実施形態では、異なる長さのダミー信号Ｄ１，Ｄ２を準備することによって、長さの異なるダミー信号を送信しているが、長さの異なるダミー信号を伝送信号の前に送信する方法はこのような方法に限られるものではない。例えば、ダミー信号Ｄ１を続けて複数回送信することによって、長さの長いダミー信号の送信とすることもできる。
【００５８】
（５−３）変形例１Ｃ
上記実施形態では、伝送信号Ｆ１の送信が開始される時刻ｔ５が時刻ｔ２と同じになる場合が記載されているが、伝送信号Ｆ１の終了時点の時刻ｔ６が時刻ｔ３の前に設定されるという条件を満たす限り、時刻ｔ５は時刻ｔ２よりも後に設定されてもよい。
【００５９】
（５−４）変形例１Ｄ
上記実施形態では、伝送装置１１が赤外線によって通信する場合について説明したが、通信には赤外線通信以外の通信手段、例えば無線通信などを使ってもよい。
【符号の説明】
【００６０】
１０    空気調和装置
１１    伝送装置
２０    空調室内機
３０    受信ユニット
５０    送信ユニット
【先行技術文献】
【特許文献】
【００６１】
【特許文献１】特開平５−２２７５８０号公報
【図１】
2014121023.tif 000003
【図２】
2014121023.tif 000004
【図３】
2014121023.tif 000005
【図４】
2014121023.tif 000006
【図５】
2014121023.tif 000007
【図６】
2014121023.tif 000008